【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
曲を構成する複数のイベント及び当該各イベントを演奏するための指の種類を表す運指情報からなる運指系列を複数記憶する曲記憶手段と、
予め設定された値が記憶されたレジスタと、
運指系列を記憶するバッファと、
この曲記憶手段に記憶された運指系列を順次選択する運指系列選択手段と、
この運指系列選択手段により運指系列が順次選択される毎に、前記曲記憶手段に記憶されたイベントを順次読み出すとともに、当該読み出されたイベントに対応しかつ前記選択された運指系列に含まれる運指情報と、前記読み出されたイベントに続くイベントに対応しかつ前記選択された運指系列に含まれる運指情報とに基づき、演奏のし易さを評価する評価値を前記イベント毎に算出し、この算出された評価値を累算することにより選択された運指系列の評価値を生成する運指系列評価手段と、
この運指系列評価手段により生成された運指系列の評価値が演奏不可を表す値でなく、かつ当該評価値が前記レジスタに記憶された値以下であるという条件を満たすか否か判別する判別手段と、
この判別手段により条件を満たすと判別された場合に、対応する運指系列を前記バッファに記憶する記憶制御手段と、
前記バッファに運指系列が記憶される毎に、前記レジスタに記憶された値を当該記憶された運指系列の評価値に更新する更新手段と、
前記運指系列選択手段により前記曲記憶手段に記憶された運指系列が全て選択された後、前記所定の記憶手段に記憶された運指系列を所定の表示手段に表示させる表示制御手段と、
を具備する運指候補表示装置。
【請求項２】
前記運指候補表示装置はさらに、前記曲記憶手段に記憶された複数のイベントの内から任意のイベントを指定する指定手段と、前記指定手段により指定されたイベントの前後で所定数分の範囲を設定する曲範囲設定手段と、を有し、
前記運指系列選択手段は、前記曲範囲設定手段により設定された曲範囲の先頭および後端に各々対応する開始イベントから終了イベントまでの各イベントに夫々対応して記憶された複数の運指系列を順番に選択する、請求項１に記載の運指候補表示装置。
【請求項３】
前記運指候補表示装置はさらに、前記各イベントに対応して当該各イベントに含まれる音高の高低傾向を表す傾向データを有するとともに、前記曲記憶手段に記憶された複数のイベントの内から任意のイベントを指定する指定手段と、前記指定手段により指定されたイベントの前後夫々に存在するイベントのうち、対応する傾向データが極値を表すイベント間の区間を検索する曲区間検索手段と、を有し、
前記運指系列選択手段は、前記曲区間検索手段により検索された曲区間の先頭および後端に各々対応する開始イベントから終了イベントまでの各イベントに夫々対応して記憶された複数の運指系列を順番に選択する、請求項１に記載の運指候補表示装置。
【請求項４】
曲を構成する複数の音高及び当該各音高を演奏するための指の種類を表す運指情報からなる運指系列を複数記憶する曲記憶手段と、予め設定された値が記憶されたレジスタと、運指系列を記憶するバッファと、を有する運指候補表示装置として用いられるコンピュータに、
前記曲記憶手段に記憶された運指系列を順次選択する運指系列選択ステップと、
前記運指系列が順次選択される毎に、前記曲記憶手段に記憶されたイベントを順次読み出すとともに、当該読み出されたイベントに対応しかつ前記選択された運指系列に含まれる運指情報と、前記読み出されたイベントに続くイベントに対応しかつ前記選択された運指系列に含まれる運指情報とに基づき、演奏のし易さを評価する評価値を前記イベント毎に算出し、この算出された評価値を累算することにより選択された運指系列の評価値を生成する運指系列評価ステップと、
この生成された運指系列の評価値が演奏不可を表す値でなく、かつ当該評価値が前記レジスタに記憶された値以下であるという条件を満たすか否か判別する判別ステップと、
この条件を満たすと判別された場合に、対応する運指系列を前記バッファに記憶する記憶制御ステップと、
前記バッファに運指系列が記憶される毎に、前記レジスタに記憶された値を当該記憶された運指系列の評価値に更新する更新ステップと、
前記曲記憶手段に記憶された運指系列が全て選択された後、前記所定の記憶手段に記憶された運指系列を所定の表示手段に表示させる表示制御ステップと、
を実行させる運指候補表示プログラム。
【手続補正２】
【補正対象書類名】明細書
【補正対象項目名】０００５
【補正方法】変更
【補正の内容】
【０００５】
上記目的を達成するため、請求項１に記載の発明では、曲を構成する複数のイベント及び当該各イベントを演奏するための指の種類を表す運指情報からなる運指系列を複数記憶する曲記憶手段と、予め設定された値が記憶されたレジスタと、運指系列を記憶するバッファと、この曲記憶手段に記憶された運指系列を順次選択する運指系列選択手段と、この運指系列選択手段により運指系列が順次選択される毎に、前記曲記憶手段に記憶されたイベントを順次読み出すとともに、当該読み出されたイベントに対応しかつ前記選択された運指系列に含まれる運指情報と、前記読み出されたイベントに続くイベントに対応しかつ前記選択された運指系列に含まれる運指情報とに基づき、演奏のし易さを評価する評価値を前記イベント毎に算出し、この算出された評価値を累算することにより選択された運指系列の評価値を生成する運指系列評価手段と、この運指系列評価手段により生成された運指系列の評価値が演奏不可を表す値でなく、かつ当該評価値が前記レジスタに記憶された値以下であるという条件を満たすか否か判別する判別手段と、この判別手段により条件を満たすと判別された場合に、対応する運指系列を前記バッファに記憶する記憶制御手段と、前記バッファに運指系列が記憶される毎に、前記レジスタに記憶された値を当該記憶された運指系列の評価値に更新する更新手段と、前記運指系列選択手段により前記曲記憶手段に記憶された運指系列が全て選択された後、前記所定の記憶手段に記憶された運指系列を所定の表示手段に表示させる表示制御手段と、を具備することを特徴とする。
【手続補正３】
【補正対象書類名】明細書
【補正対象項目名】０００６
【補正方法】変更
【補正の内容】
【０００６】
また請求項２に記載のように、前記運指候補表示装置はさらに、前記曲記憶手段に記憶された複数のイベントの内から任意のイベントを指定する指定手段と、前記指定手段により指定されたイベントの前後で所定数分の範囲を設定する曲範囲設定手段と、を有し、前記運指系列選択手段は、前記曲範囲設定手段により設定された曲範囲の先頭および後端に各々対応する開始イベントから終了イベントまでの各イベントに夫々対応して記憶された複数の運指系列を順番に選択する、ように構成してもよい。
【手続補正４】
【補正対象書類名】明細書
【補正対象項目名】０００７
【補正方法】変更
【補正の内容】
【０００７】
また請求項３に記載のように、前記運指候補表示装置はさらに、前記各イベントに対応して当該各イベントに含まれる音高の高低傾向を表す傾向データを有するとともに、前記曲記憶手段に記憶された複数のイベントの内から任意のイベントを指定する指定手段と、前記指定手段により指定されたイベントの前後夫々に存在するイベントのうち、対応する傾向データが極値を表すイベント間の区間を検索する曲区間検索手段と、を有し、前記運指系列選択手段は、前記曲区間検索手段により検索された曲区間の先頭および後端に各々対応する開始イベントから終了イベントまでの各イベントに夫々対応して記憶された複数の運指系列を順番に選択する、ように構成してもよい。
【手続補正５】
【補正対象書類名】明細書
【補正対象項目名】０００８
【補正方法】変更
【補正の内容】
【０００８】
さらに請求項４に記載の発明は、曲を構成する複数の音高及び当該各音高を演奏するための指の種類を表す運指情報からなる運指系列を複数記憶する曲記憶手段と、予め設定された値が記憶されたレジスタと、運指系列を記憶するバッファと、を有する運指候補表示装置として用いられるコンピュータに、前記曲記憶手段に記憶された運指系列を順次選択する運指系列選択ステップと、前記運指系列が順次選択される毎に、前記曲記憶手段に記憶されたイベントを順次読み出すとともに、当該読み出されたイベントに対応しかつ前記選択された運指系列に含まれる運指情報と、前記読み出されたイベントに続くイベントに対応しかつ前記選択された運指系列に含まれる運指情報とに基づき、演奏のし易さを評価する評価値を前記イベント毎に算出し、この算出された評価値を累算することにより選択された運指系列の評価値を生成する運指系列評価ステップと、この生成された運指系列の評価値が演奏不可を表す値でなく、かつ当該評価値が前記レジスタに記憶された値以下であるという条件を満たすか否か判別する判別ステップと、この条件を満たすと判別された場合に、対応する運指系列を前記バッファに記憶する記憶制御ステップと、前記バッファに運指系列が記憶される毎に、前記レジスタに記憶された値を当該記憶された運指系列の評価値に更新する更新ステップと、前記曲記憶手段に記憶された運指系列が全て選択された後、前記所定の記憶手段に記憶された運指系列を所定の表示手段に表示させる表示制御ステップと、を実行させることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項１、４に記載の発明によれば、曲を構成する複数の音高及び当該各音高を演奏するための指の種類を表す運指情報からなる運指系列を複数記憶する曲記憶手段から運指系列を順次選択する。そしてこの運指系列が順次選択される毎に、記憶されたイベントを順次読み出し、この読み出されたイベントに対応しかつ選択されている運指系列に含まれる運指情報と、読み出されたイベントに続くイベントに対応かつ選択された運指系列に含まれる運指情報とに基づいて、演奏のし易さを評価する評価値をイベント毎に算出し、この算出された評価値を累算することにより選択された運指系列の評価値を生成する。ここでこの生成された運指系列の評価値が演奏不可を表す値でなく、かつ当該評価値が所定のレジスタに記憶された値以下であるという条件を満たす場合には、対応する運指系列をバッファに記憶するとともに、このバッファに運指系列が記憶される毎に、レジスタの値をこの記憶された運指系列の評価値に更新する。そして運指系列が全て選択された後、記憶された運指系列を表示させる。この結果、曲中の指定範囲で複数の異なる運指を提示することができる。
【手続補正９】
【補正対象書類名】明細書
【補正対象項目名】００１２
【補正方法】変更
【補正の内容】
【００１２】
請求項２に記載の発明によれば、さらに、記憶された複数のイベントの内から任意のイベントを指定し、この指定されたイベントの前後で所定数分の範囲を設定するとともに、この設定された曲範囲の先頭および後端に各々対応する開始イベントから終了イベントまでの各イベントに夫々対応して記憶された複数の運指系列を順番に選択することにより、曲中の１イベントを指定するだけで曲範囲が設定され、設定された曲範囲で複数の異なる運指を提示することができる。
【手続補正１０】
【補正対象書類名】明細書
【補正対象項目名】００１３
【補正方法】変更
【補正の内容】
【００１３】
請求項３に記載の発明によれば、各イベントに含まれる音高の高低傾向を表す傾向データをイベント夫々に対応して有し、記憶された複数のイベントの内から任意のイベントを指定して、指定されたイベントの前後夫々に存在するイベントのうち、対応する傾向データが極値を表すイベント間の区間を検索し、検索された曲区間の先頭および後端に各々対応する開始イベントから終了イベントまでの各イベントに夫々対応して記憶された複数の運指系列を順番に選択する。この結果、曲中の１イベントを指定するだけで音高の高低が入れ替われる曲区間の、音楽的に自然な運指系列を複数提示することができる。
【手続補正１１】
【補正対象書類名】明細書
【補正対象項目名】００２５
【補正方法】変更
【補正の内容】
【００２５】
次いで、ステップＳＢ３では、評価対象音の次の音ｍｅ［ｎｅｘｔ］を指定するポインタをポインタｍｅｎにセットする。そして、ステップＳＢ４では、ポインタｍｅｎにて指定される次の音の運指候補ｍｅｎ［ｃｆｉｇＡｌｔ［ｉ］］をレジスタｉＴｆに、次の音の鍵盤座標ｍｅｎ［ｉＰｏｓｘ］をレジスタｉＴｐにそれぞれストアする。
続いて、ステップＳＢ５では、レジスタｉＦｐに格納された評価対象音の鍵盤座標と、レジスタｉＴｐに格納された次の音の鍵盤座標とを大小比較し、ｉＦｐ＜ｉＴｐなら「０」を、ｉＦｐ≧ｉＴｐなら「１」をレジスタｉＰＭにストアする。つまり次の音が評価対象音より高音側なら「０」、それ以外なら「１」となる値をレジスタｉＰＭにストアする。また、ステップＳＢ５では、評価対象音の鍵盤座標と次の音の鍵盤座標から両鍵の離間距離（ｉＴｐ−ｉＦｐ又はｉＦｐ−ｉＴｐ）をレジスタｉＩｎｔにストアする。
【手続補正１２】
【補正対象書類名】図面
【補正対象項目名】図６
【補正方法】変更
【補正の内容】
【図６】
2006071674.tif 000001